(57)【要約】  【課題】本発明は、記憶装置を備えた装置が災害に遭った際に、記憶装置および記憶装置に記憶されたデータを保護することが可能な記憶装置の保護装置を提供することを目的とする。  【解決手段】本発明に係る記憶装置の保護装置を備えた複写機１は、災害時に検知部１２からの水検知信号、温度検知信号あるいは地震検知信号、あるいは操作表示部１４の保護キーの押下による信号に基づいて、第１ＨＤＤ１１３の保護用の記憶領域に記憶された画像データが自動的に第１無線通信部１３から送信された後、記憶装置保護箱２２に記憶装置保護箱２２とともに密封された第２無線通信部２５に受信された画像データが、第２ＨＤＤ２６に記憶される構成とされている。【選択図】      図１
2007011418.tif 000002
【特許請求の範囲】
【請求項１】
データを記憶する第１記憶装置と、装置環境の変化に基づく検知信号を出力する検知部と、前記データの送信を無線通信で行う第１無線通信部と、前記検知信号に基づいて前記第１記憶装置に記憶された前記データを前記第１無線通信部に送信させる第１制御部と、前記第１無線通信部から送信された前記データを受信する第２無線通信部と、前記第２無線通信部に受信された前記データが記憶される第２記憶装置と、前記第２無線通信部に受信された前記データを前記第２記憶装置に記憶させる第２制御部と、前記第２無線通信部、前記第２記憶装置および前記第２制御部を内部に備えて密封する記憶装置保護箱と、を有して成ることを特徴とする記憶装置の保護装置。
【請求項２】
前記検知部は、水を検知した際に、前記第１制御部に水検知信号を入力する水センサ、所定の温度よりも高い温度を検知した際に、前記第１制御部に温度検知信号を入力する温度センサ、および所定の振動値よりも大きな振動値を検知した際に、前記第１制御部に地震検知信号を入力する地震センサのうち少なくとも１つを有し、
前記第１制御部は、前記水検知信号、高温検知信号および地震検知信号のうちいずれかが入力されると、前記第１記憶装置に記憶された前記データを前記第１無線通信部に送信させることを特徴とする請求項１に記載の記憶装置の保護装置。
【請求項３】
前記記憶装置保護箱は、耐水性、耐火性および耐衝撃性のうち少なくとも１つの性質を有した部材から成ることを特徴とする請求項１または請求項２に記載の記憶装置の保護装置。
【発明の詳細な説明】
【技術分野】
【０００１】
本発明は、ハードディスクドライブ、不揮発性メモリ等の記憶装置が、火災や水害等の災害に遭っても記憶データを失わないように保護する記憶装置の保護装置に関するものである。
【背景技術】
【０００２】
データの読み書き・記憶を行うハードディスクドライブ（以下、ＨＤＤ[Hard Disk Drive]と呼ぶ）等の記憶装置を備えた装置が火災や水害等の災害に遭った場合には、その装置から記憶装置が取り出されたり、装置本体ごと運び出されたりして記憶装置およびその記憶装置に記憶されたデータの保護が行われている。
【０００３】
また、災害時におけるデータの保護に関する特許文献として、遠隔地にある別の装置のデータ格納領域にデータを常時バックアップしてデータを災害から保護することが可能な情報処理システムにおけるバックアップ方法が開示・提案されている（例えば、特許文献１を参照）。また、参考として、データが記憶されるＣＤ[Compact Disc]等のデータ記憶媒体を火災から保護することが可能なデータ記憶装置の収納・保護方法および装置が開示・提案されている（例えば、特許文献２を参照）。
【特許文献１】特開平７−１４１３０８号公報
【特許文献２】特開２０００−１２８２６８号公報
【発明の開示】
【発明が解決しようとする課題】
【０００４】
確かに、従来の記憶装置を備えた装置であれば、災害時に、装置から記憶装置を取り出して避難あるいは装置本体ごと運んで避難することで、記憶装置および記憶装置に記憶されたデータを保護することが可能である。
【０００５】
また、特許文献１に開示された情報処理システムにおけるバックアップ方法であれば、遠隔地の別の装置にデータが常時バックアップされているため、本体装置が災害に遭ってもデータを保護することが可能である。
【０００６】
しかしながら、記憶装置を備えた装置が複写機や大型コンピュータ等の場合には、記憶装置が取り出し難く、更に装置本体が大きく重いため、災害時に記憶装置を保護することが困難であった。また、災害時にこのような作業を行っていると、ユーザの避難が遅くなりユーザ自身が被災してしまう可能性もあり危険である。
【０００７】
また、特許文献１に開示された情報処理システムにおけるバックアップ方法は、データのバックアップを行うための別の装置が新たに必要になってしまう。また、例えば、本体装置に備えられた記憶装置が災害で壊れた際に、バックアップされたデータを記憶する代用の記憶装置が近くにないため、すぐに代用の記憶装置を起動させてバックアップされたデータを利用することができなかった。
【０００８】
本発明は、上記の問題点に鑑み、記憶装置を備えた装置が災害に遭った際に、記憶装置および記憶装置に記憶されたデータを保護することが可能な記憶装置の保護装置を提供することを目的とする。
【課題を解決するための手段】
【０００９】
上記目的を達成するために、本発明に係る記憶装置の保護装置は、データを記憶する第１記憶装置と、装置環境の変化に基づく検知信号を出力する検知部と、前記データの送信を無線通信で行う第１無線通信部と、前記検知信号に基づいて前記第１記憶装置に記憶された前記データを前記第１無線通信部に送信させる第１制御部と、前記第１無線通信部から送信された前記データを受信する第２無線通信部と、前記第２無線通信部に受信された前記データが記憶される第２記憶装置と、前記第２無線通信部に受信された前記データを前記第２記憶装置に記憶させる第２制御部と、前記第２無線通信部、前記第２記憶装置および前記第２制御部を内部に備えて密封する記憶装置保護箱と、を有して成る構成とされている。このような構成とすることにより、災害時に第２記憶装置とともに自動的にデータを保護することが可能となる。
【００１０】
また、上記構成から成る記憶装置の保護装置は、前記検知部が、水を検知した際に、前記第１制御部に水検知信号を入力する水センサ、所定の温度よりも高い温度を検知した際に、前記第１制御部に温度検知信号を入力する温度センサ、および所定の振動値よりも大きな振動値を検知した際に、前記第１制御部に地震検知信号を入力する地震センサのうち少なくとも１つを有し、前記第１制御部が、前記水検知信号、高温検知信号および地震検知信号のうちいずれかが入力されると、前記第１記憶装置に記憶された前記データを前記第１無線通信部に送信させる構成とされている。このような構成とすることにより、水害、火災および地震時に、第２記憶装置とともに自動的にデータを保護することが可能となる。
【００１１】
また、上記構成から成る記憶装置の保護装置における前記記憶装置保護箱は、耐水性、耐火性および耐衝撃性のうち少なくとも１つの性質を有した部材から成る構成とされている。このような構成とすることにより、第２記憶装置およびデータを水害、火災および震災から確実に保護することが可能となる。
【発明の効果】
【００１２】
上記したように、本発明に係る記憶装置の保護装置であれば、記憶装置を備えた装置が災害に遭った際に、第２記憶装置およびデータを災害から保護することが可能となる。
【発明を実施するための最良の形態】
【００１３】
以下では、本発明について、本発明に係る記憶装置の保護装置を備えた複写機を例に挙げて説明を行う。図１は本実施形態の複写機の要部構成を示すブロック図であり、図２は本実施形態の複写機の要部構造を模式的に示す縦断面図である。
【００１４】
両図に示すように、本実施形態の複写機１は、中央演算処理装置からなり、装置全体の動作を制御する第１制御部１０と、各種制御プログラムや各種データ等が格納され、ワーク領域としても用いられる記憶部１１と、情報の入力を受け付ける操作手段（保護キー、テンキー、タッチパネルなど）と画像の表示を行う表示手段（液晶ディスプレイなど）から成る操作表示部１４と、装置環境の変化に基づく検知信号を出力して第１制御部１０に入力する検知部１２と、後述の第２無線通信部２５と無線通信で各種データや各種指示命令等の送受信を行う第１無線通信部１３と、原稿を自動搬送する原稿搬送部１５と、原稿搬送部１５から搬送された原稿を取り込んで画像データを生成する原稿取込部１６と、画像データに基づいて用紙への画像出力を行う画像形成部１８（プリンタヘッドや感光ドラムから成るプリント部１８１を含む）と、画像形成部１８に給紙を行う給紙部１７と、画像形成部１８で得られた画像出力を用紙に定着させる定着部１９と、定着部１９で画像出力の定着が完了した用紙の排紙先となる排紙部２０と、外部から供給された電力を装置各部に供給する電源部２１と、後述するように、開閉自在な蓋２２ｂを有し、第２無線通信部２５、第２ＨＤＤ２６、第２制御部２３およびバッテリ２４を内部に備えてそれらを密封する記憶装置保護箱２２と、を有して成る。
【００１５】
本実施形態の複写機１の記憶装置保護箱２２は、第１無線通信部１３と無線通信で各種データや各種指示命令の送受信を行うための第２無線通信部２５と、第２無線通信部２５が受信した各種データが記憶される第２ＨＤＤ２６と、第２無線通信部２５、第２ＨＤＤ２６および後述のバッテリ２４の制御に関する処理を行う第２制御部２３と、第２無線通信部２５、第２ＨＤＤ２６および第２制御部２３に電力を供給する２次電池からなるバッテリ２４と、を有して成る。なお、記憶装置保護箱２２には、後述のＲＯＭ１１１およびＲＡＭ１１２と同様に、第２制御部２３の動作に必要なＲＯＭ（不図示）およびＲＡＭ（不図示）が当然に備えられている。
【００１６】
第１制御部１０は、装置全体の制御を行うほか、後ほど詳細に説明するが、災害時に検知部１２からの検知信号あるいは保護キー１４１の押下による信号に基づいて、第１ＨＤＤ１１３の記憶領域における保護用の記憶領域に記憶された画像データを第１無線通信部１３から第２無線通信部２５へ向けて送信する制御を行う。また、第１制御部１０は、第１ＨＤＤ１１３に対して画像データの書き込み、読み出しおよび消去の制御を行う。
【００１７】
記憶部１１は、各種制御プログラムが格納されたＲＯＭ［Read Only Memory］１１１と、ワーク領域として主に用いられるＲＡＭ［Random Access Memory］１１２と、各種データの保存先となり、記憶領域内に災害時において第１無線通信部１３から送信される画像データの記憶元となる保護用の記憶領域を有した第１記憶装置に相当する第１ＨＤＤ１１３と、を有して成る。なお、第２記憶装置に相当する第２ＨＤＤ２６は、第１ＨＤＤ１１３の保護用の記憶領域よりも十分大きい記憶領域を有している。
【００１８】
検知部１２は、図１および図２に示すように、複写機１の装置本体１００の地面側に備えられ、水を検知した際に第１制御部１０にその検知信号の水検知信号を入力する水センサ１２１と、装置本体１００に備えられ、予め設定された所定の温度よりも高い温度を検知した際に第１制御部１０にその検知信号の高温検知信号を入力する温度センサ１２２と、装置本体１００に備えられ、予め設定された所定の振動値よりも大きな振動値を検知した際に第１制御部１０にその検知信号の地震検知信号を入力する地震センサ１２３と、を有して成る。
【００１９】
操作表示部１４は、ユーザの押下により、第１ＨＤＤ１１３の保護用の記憶領域に記憶されたデータ全てを第１無線通信部１３から第２無線通信部２５への送信の実行を受け付けて、それを実行させるための信号を第１制御部１０に入力する保護キー１４１を有して成る。
【００２０】
給紙部１７は、画像形成部１５への給紙元となる複数段（本実施形態では３段）の用紙収納部１７１ａ〜１７１ｃと、各用紙収納部１７１ａ〜１７１ｃから画像形成部１８への共通した用紙搬送経路となる用紙搬送部１７２と、を有して成る。
【００２１】
第２制御部２３は、第２無線通信部２５の画像データおよび各種指示命令の送受信に関する制御、第２無線通信部２５が第１無線通信部１３から送信された画像データを受信した際に、第２ＨＤＤ２６にその画像データを記憶させる制御、バッテリ２４の充電容量の残量管理に関する制御を行う。
【００２２】
また、第２制御部２３によるバッテリ２４の充電容量の残量管理は以下のように行われる。第２制御部２３は、第２ＨＤＤ２６あるいはＲＯＭ（不図示）の所定の記憶領域に予め記憶された所定の充電容量よりもバッテリ２４の充電容量が低下したか否かで残量管理を行う。第２制御部２３は、所定の充電容量よりもバッテリ２４の充電容量が低下したと判定する場合には、第２無線通信部２５から第１無線通信部１３に向けて、バッテリ２４の充電要求の指示命令を送信させる制御を行う。
【００２３】
第１無線通信部１３および第２無線通信部２５には、例えば、ＩＥＥＥ[Institute of Electrical and Electronic Engineers](電子電気学会)により認定されているＩＥＥＥ８０２．１１ｇ等の無線規格を使用することができる。なお、第１無線通信部１３および第２無線通信部２５により用いられる無線規格は、ＩＥＥＥ８０２．１１ｇ規格に限定されるものではなく、本発明を実施可能な無線規格であればよい。
【００２４】
また、前述の記憶装置保護箱２２は、例えば、以下のような構成からなる。記憶装置保護箱２２は、図２に示すように、記憶装置保護箱筐体２２ａと、ヒンジ（不図示）等により開閉自在な蓋２２ｂと、蓋２２ｂの閉結時に、水の浸入を防ぐためのガスケット（不図示）等と、から形成されている。また、記憶装置保護箱筐体２２ａおよび蓋２２ｂを構成する部材は、それらの最外周から順に、火災時に溶けて隙間を塞ぎ、かつ、剛性の強いポリマー（不図示）、断熱材（例えば、断熱材サーバイバキャスト）（不図示）、該ポリマー（不図示）からなる。
【００２５】
このような構成から成る記憶装置保護箱２２によって、前述した第２制御部２３、第２無線通信部２５、第２ＨＤＤ２６３およびバッテリ２４等が密封されており、水害、火災および地震等の災害から常時保護されている。なお、記憶装置保護箱２２は、上記の構成に限定されるものではなく、第２制御部２３、第２無線通信部２５、第２ＨＤＤ２６３およびバッテリ２４等を、水害、火災および地震等の災害を常時保護できる構成であればよい。
【００２６】
次に、上記構成から成る複写機１における原稿複写動作について説明する。複写機１における原稿複写動作では、まず原稿搬送部１５から原稿取込部１６に原稿が搬送され、原稿取込部１６による該原稿の取込み（画像データの生成）が行われる。生成された画像データは、一旦、記憶部１１に格納された後、再び読み出されて画像形成部１８に送出される。その後、画像形成部１８では、入力された画像データに基づく用紙への画像形成処理が行われる。そして、画像形成処理の完了した用紙が定着部１９で、加熱および加圧されて画像が用紙に定着された後、排紙部２０に原稿画像の複写が完了した用紙が排紙される。
【００２７】
また、本実施形態の複写機１は、原稿取込部１６で取り込んで生成された原稿の画像データを第１ＨＤＤ１１３に記憶したり、後から操作表示部１４のタッチパネル付き液晶ディスプレイ（不図示）のタッチ機能を用いて第１ＨＤＤ１１３に記憶された画像データを選択して印刷したりすることが可能である。また、災害時に保護を必要とする画像データに対しては、タッチパネル付き液晶ディスプレイ（不図示）のタッチ機能を用いて、第１ＨＤＤ１１３に記憶された画像データを第１ＨＤＤ１１３の保護用の記憶領域に記憶させておくことができる。
【００２８】
なお、上記構成から成る本実施形態の記憶装置の保護装置を備えた複写機１は、災害時に検知部１２からの検知信号あるいは保護キー１４１の押下に伴う信号に基づいて、第１ＨＤＤ１１３の保護用の記憶領域に記憶された画像データが第１無線通信部１３から送信されて、記憶装置保護箱２２に密封された第２ＨＤＤ２６に記憶され、第２ＨＤＤ２６とともに画像データが保護されることに特徴を有している。
【００２９】
そこで、以下では、本実施形態の記憶装置の保護装置を備えた複写機１における災害時に検知部１２からの検知信号あるいは保護キー１４１の押下に伴う信号に基づいて、第１ＨＤＤ１１３の保護用の記憶領域に記憶された画像データが第１無線通信部１３から送信されて、記憶装置保護箱２２に密封された第２ＨＤＤ２６に記憶される制御について図を参照して詳細に説明する。図３は、複写機１における画像データの保護に関する制御の一例を示すフローチャートである。
【００３０】
本実施形態の複写機１は、図１〜図３に示すように、ステップＳ３−１で、水センサ１２１により水が検知されず、水センサ１２１から水検知信号が、第１制御部１０に入力されていない場合には（Ｓ３−１ＮＯ）、ステップＳ３−２に進み、更に温度センサ１２２により予め設定された所定の温度よりも高い温度が検知されず、温度センサ１２２から高温検知信号が、第１制御部１０に入力されていない場合には（Ｓ３−２ＮＯ）、ステップＳ３−３に進む。
【００３１】
続いて、ステップＳ３−３で、地震センサ１２３により予め設定された所定の振動値よりも大きな振動値が検知されず、地震センサ１２３から地震検知信号が、第１制御部１０に入力されていない場合には（Ｓ３−３ＮＯ）、ステップＳ３−４に進み、更に操作表示部１４の保護キー１４１の押下に伴う信号が、第１制御部１０に入力されていない場合には（Ｓ３−４ＮＯ）、ステップＳ３−５に進む。このように、ステップＳ３−１からステップＳ３−４まで、水検知信号、高温検知信号、水信号地震検知信号および保護キー１４１の押下に伴う信号が、第１制御部１０に入力されていない場合には、災害が発生していないことになる。
【００３２】
続いて、ステップＳ３−５で、第２制御部２３の制御によって第２無線通信部２５から送信されるバッテリ２４の充電要求の指示命令を第１無線通信部１３が受信しない場合（Ｓ３−５ＮＯ）には、バッテリ２４の充電容量が十分残っているため、ステップＳ３−１に戻る。
【００３３】
また、ステップＳ３−５で、第２制御部２３により第２無線通信部２５から送信されるバッテリ２４の充電要求の指示命令を第１無線通信部１３が受信した場合（Ｓ３−５ＹＥＳ）には、ステップＳ３−６で、バッテリ２４の充電要求の指示命令に基づいて第１制御部１０により、操作表示部１４のタッチパネル付き液晶ディスプレイ（不図示）に、バッテリ２４の充電要求の旨が表示される。
【００３４】
なお、バッテリ２４は、前述したように２次電池を用いているが、１次電池でもよい。この場合、第２制御部２３は、第２ＨＤＤ２６あるいはＲＯＭ（不図示）の所定の記憶領域に記憶された所定の容量よりもバッテリ２４の容量が低下した場合には、第２無線通信部２５から第１無線通信部１３に向けて、バッテリ２４の交換要求の指示命令を送信し、それを第１無線通信部１３が受信した場合には、バッテリ２４の交換要求の指示命令に基づいて操作表示部１４のタッチパネル付き液晶ディスプレイ（不図示）に、バッテリ２４の交換要求の旨が表示されるとよい。
【００３５】
続いて、ステップＳ３−７で、第２制御部２３により第２無線通信部２５から送信されるバッテリ２４の充電要求の指示命令を第１無線通信部１３が受信しない場合には（Ｓ３−７ＮＯ）、バッテリ２４の充電が行われてバッテリ２４の充電容量が所定の充電容量よりも多くなったことになるため、ステップＳ３−８で、第１制御部１０により操作表示部１４のタッチパネル付き液晶ディスプレイ（不図示）に表示されているバッテリ２４の充電要求の旨が消され、ステップＳ３−１に戻る。
【００３６】
また、ステップＳ３−１で、水センサ１２１から水検知信号が、第１制御部１０に入力された場合（Ｓ３−１ＹＥＳ）、ステップＳ３−２で、温度センサ１２２から高温検知信号が、第１制御部１０に入力された場合（Ｓ３−２ＹＥＳ）、ステップＳ３−３で、地震センサ１２３から地震検知信号が、第１制御部１０に入力された場合（Ｓ３−３ＹＥＳ）、あるいはステップＳ３−４で、操作表示部１４の保護キー１４１の押下に伴う信号が、第１制御部１０に入力された場合には（Ｓ３−４ＹＥＳ）、ステップＳ３−９で、第１制御部１０の制御により、第１ＨＤＤ１１３の保護用の記憶領域に記憶された画像データ全てが、第１無線通信部１３から第２無線通信部２５に向けて送信される。
【００３７】
続いて、ステップＳ３−１０で、第２無線通信部２５に画像データが受信されると、第２制御部２３の制御により、受信した画像データ全てが順次第２ＨＤＤ２６に記憶され、本動作は完了となる。
【００３８】
以上で説明したように、本発明の記憶装置の保護装置を備えた複写機１は、災害時に検知部１２からの検知信号あるいは保護キー１４１の押下に伴う信号に基づいて、第１ＨＤＤ１１３の保護用の記憶領域に記憶された画像データが、自動的に第１無線通信部１３から送信されて、記憶装置保護箱２２に密封された第２ＨＤＤ２６に記憶される構成であるため、第２ＨＤＤ２６とともに画像データを水害、火災および地震等の災害から保護することができる。また、第２ＨＤＤ２６が、常に記憶装置保護箱２２の蓋２２ｂが閉じられて密閉されているので、突発的な災害時に蓋が閉じられずに第２ＨＤＤおよび画像データを保護できないといったことが発生することなく、第２ＨＤＤ２６とともに画像データを災害から保護することができる。
【００３９】
また、本発明に係る記憶装置の保護装置を備えた複写機１は、予め設定された時間単位ごとにあるいは予め設定された時間になると、第１ＨＤＤ１１３の保護用の記憶領域に記憶された画像データが、第１制御部１０によって第１無線通信部１３から第２無線通信部２５に送信されて、第２制御部２３により第２ＨＤＤ２６に記憶されてもよい。この際、第１無線通信部１３から第２無線通信部２５に送信された画像データのデータ名が記憶部１１に記憶され、災害時に、記憶部１１に記憶されていないデータ名の画像データのみが、第１制御部１０によって第１無線通信部１３から第２無線通信部２５に送信されて、第２制御部２３により第２ＨＤＤ２６に記憶されてもよい。このような構成にすることにより、災害が発生した際に、事前に殆どの画像データが第２ＨＤＤ２６に記憶されているため、より確実に早く第２ＨＤＤ２６とともに画像データを水害、火災および地震等の災害から保護することができる。
【００４０】
また、上記で説明したように本実施形態の複写機１は、水検知信号、高温検知信号、地震検知信号あるいは保護キー１４１の押下に伴う信号が、第１制御部１０に入力された場合には、第１制御部１０により第１ＨＤＤ１１３の保護用の記憶領域に記憶された画像データ全てが、第１無線通信部１３から第２無線通信部２５に向けて送信される構成であるが、これらのいずれかの信号の入力に基づいて第１制御部１０により、第１ＨＤＤ１１３の記憶領域に記憶された全ての画像データが第１無線通信部１３から送信されてもよい。この場合、第２ＨＤＤ２６は、第１ＨＤＤの記憶領域よりも大きい記憶領域を有するとよい。このような構成にすることにより、第２ＨＤＤ２６とともに第１ＨＤＤ１１３に記憶された全ての画像データを、水害、火災および地震等の災害から保護することができる。
【００４１】
また、本発明に係る記憶装置の保護装置を備えた複写機１は更に、操作表示部１４のタッチパネル付き液晶ディスプレイ（不図示）が、随時ユーザに操作されることにより、第１ＨＤＤ１１３に記憶された画像データのうちから選択された画像データが、保護キー１４１の押下に伴って第２ＨＤＤ２６に記憶されてもよい。このような構成にすることにより、予め画像データが第２ＨＤＤ２６に記憶されるため、より確実に第２ＨＤＤ２６とともに画像データを水害、火災および地震等の災害から保護することができる。
【００４２】
しかしながら、この場合、ユーザが随時、このような操作をおこなうと第２ＨＤＤ２６の記憶領域が画像データで一杯になる可能性がある。第２ＨＤＤ２６の記憶領域が画像データで一杯になった場合には、第２制御部２３から第２ＨＤＤ２６の記憶領域が一杯になった旨の指示命令が、第２無線通信部２５から第１無線通信部１３に送信され、第１制御部１０により操作表示部１４の液晶表示部（不図示）に第２ＨＤＤ２６の記憶領域が画像データで一杯になった旨が表示される構成にするとよい。ユーザがこの表示を見て第２ＨＤＤ２６を記憶領域が空いているＨＤＤと交換することができる。
【００４３】
また、本発明に係る記憶装置の保護装置を備えた複写機１では、第１ＨＤＤ１１３に記憶された画像データが、第２ＨＤＤ２６に記憶されて保護される場合を例に挙げて説明を行ったが、画像データに限定されるもの必要はなく、本発明が各種データの保護に適用されてもよい。
【００４４】
また、本発明に係る記憶装置の保護装置を備えた複写機１では、第１記憶装置および第２記憶装置として、それぞれ第１ＨＤＤ１１３および第２ＨＤＤ２６を例に挙げて説明を行ったが、それぞれＨＤＤに限定される必要はなく、例えば、フラッシュメモリ、強誘電体メモリ、磁気抵抗メモリのような不揮発性メモリが搭載された記憶装置が用いられてもよい。
【００４５】
また、本実施形態では、本発明に係る記憶装置の保護装置が、複写機１に備えられた場合を例に挙げて説明を行ったが、本発明の適用対象はこれに限定されるものではなく、例えば、デスクトップパソコン、デジタル複合機等の他の装置に適用することが可能である。
【００４６】
また、本発明の構成は、上記実施形態のほか、発明の主旨を逸脱しない範囲で種々変更を加えることが可能である。
【産業上の利用可能性】
【００４７】
本発明は、複写機の他にも、ＨＤＤ等の記憶装置を備えた装置全般に幅広く適用が可能であり、災害時における記憶装置およびデータの保護に関して有用な技術である。
【図面の簡単な説明】
【００４８】
【図１】は、本実施形態の複写機の要部構成を示すブロック図である。
【図２】は、本実施形態の複写機の要部構造を模式的に示す縦断面図である。
【図３】は、複写機１における画像データの保護に関する制御の一例を示すフローチャートである。
【符号の説明】
【００４９】
１    複写機
１００    装置本体
１０    第１制御部
１１    記憶部
１１１    ＲＯＭ
１１２    ＲＡＭ
１１３    第１ＨＤＤ
１２    検知部
１２１    水センサ
１２２    温度センサ
１２３    地震センサ
１３    第１無線通信部
１４    操作表示部
１５    原稿搬送部
１６    原稿取込部
１７    給紙部
１７１ａ〜１７１ｃ    用紙収納部
１７２    用紙搬送部
１８    画像形成部
１９    定着部
２０    排紙部
２１    電源部
２２    記憶装置保護箱
２３    第２制御部
２４    バッテリ
２５    第２無線通信部
２６    第２ＨＤＤ
【図１】
2007011418.tif 000003
【図２】
2007011418.tif 000004
【図３】
2007011418.tif 000005